(57)【要約】メランジ糸の編地のカラー画像を読み込み、サンプリング範囲を決定し、カラー値のヒストグラムを作成する。ヒストグラムでの色相毎にスパイスカラーを抽出し、他を通常色として、通常色を併合して色数を減少させ、メランジ糸を構成する通常色の数を減少させる。通常色とその頻度及びスパイスカラーとその頻度とで、メランジ糸のカラー値のヒストグラムをシミュレーションする。メランジ糸の編地サンプルから、メランジ糸の画像のシミュレーションができる。
2007052783.tif 000002
【特許請求の範囲】
【請求項１】
メランジ糸で編成された編地から、メランジ糸をシミュレーションするカラー画像を作成するための装置であって、
前記編地のカラー画像を読み取るための手段と、
前記カラー画像から、カラー空間での複数の単位色のカラー値とその出現頻度とからなる、ヒストグラムを作成するためのヒストグラム作成手段と、
作成したヒストグラム中の複数の単位色から、明度が中程度で高彩度かつ色相が異なるものをスパイスカラーとして抽出し、かつ他の単位色を通常色と区分するためのスパイスカラー抽出手段と、
通常色を併合して通常色の色数を減らし、スパイスカラーのカラー値とその出現頻度及び通常色のカラー値とその出現頻度とを、メランジ糸のカラースペクトルとして求めるための併合手段と、
メランジ糸のカラースペクトルでのスパイスカラーと通常色のカラー値がそれらの出現頻度に応じて表れ、かつ各カラー値が繊維状に細長く配置されるように、メランジ糸の糸画像を作成するための糸画像作成手段とを設けた、
メランジ糸の画像シミュレーション装置。
【請求項２】
前記カラー空間は複数のグループに分割され、
前記ヒストグラム作成手段では、前記カラー画像の各画素をいずれかのグループに区分し、各グループに属する画素のカラー値の平均値を前記単位色とし、かつ各グループに属する画素の数に基づいて単位色の出現頻度を定めることを特徴とする、請求項１のメランジ糸の画像シミュレーション装置。
【請求項３】
前記併合手段では、出現頻度の少ない通常色をカラー空間での近傍の他の通常色もしくはスパイスカラーと併合し、かつ通常色を、色差が小さくカラー値が類似する他の通常色もしくは色差が小さくカラー値が類似するスパイスカラーと併合することを特徴とする、請求項２のメランジ糸の画像シミュレーション装置。
【請求項４】
前記併合手段では、色差が小さくカラー値が類似した２つのスパイスカラーを、ヒストグラムの平均のカラー値から遠い側のスパイスカラーのカラー値を優先するように処理して、スパイスカラーの数を減らすことを特徴とする、請求項３のメランジ糸の画像シミュレーション装置。
【請求項５】
併合手段で求めたメランジ糸のカラースペクトルの平均のカラー値が、前記カラー画像の平均のカラー値からシフトしたシフト分を求めて、スパイスカラーと通常色とのカラー値を前記シフト分だけシフトさせて、メランジ糸のカラースペクトルの平均のカラー値を、前記カラー画像の平均のカラー値に一致させるための補正手段をさらに設けたことを特徴とする、請求項１のメランジ糸の画像シミュレーション装置。
【請求項６】
メランジ糸で編成された編地のカラー画像を取得し、
前記カラー画像から、カラー空間での複数の単位色のカラー値とその出現頻度とからなる、ヒストグラムを作成し、
作成したヒストグラム中の複数の単位色から、明度が中程度で高彩度かつ色相が異なるものをスパイスカラーとして抽出し、かつ他の単位色を通常色と区分し、
通常色を併合して通常色の色数を減らし、スパイスカラーのカラー値とその出現頻度及び通常色のカラー値とその出現頻度とを、メランジ糸のカラースペクトルとして求め、
メランジ糸のカラースペクトルでのスパイスカラーと通常色のカラー値がそれらの出現頻度に応じて表れ、かつ各カラー値が繊維状に細長く配置されるように、メランジ糸の糸画像を作成する、メランジ糸の画像シミュレーション方法。
【請求項７】
前記カラー空間を複数のグループに分割され、
前記ヒストグラムを作成する際に、前記カラー画像の各画素をいずれかのグループに区分し、各グループに属する画素のカラー値の平均値を前記単位色とし、かつ各グループに属する画素の数に基づいて単位色の出現頻度を定め、
前記通常色の併合では、出現頻度の少ない通常色をカラー空間での近傍の他の通常色もしくはスパイスカラーと併合し、かつ通常色を、色差が小さくカラー値が類似する他の通常色もしくは色差が小さくカラー値が類似するスパイスカラーと併合することを特徴とする、請求項６のメランジ糸の画像シミュレーション方法。
【請求項８】
メランジ糸で編成された編地から、メランジ糸をシミュレーションするカラー画像を作成するための装置のプログラムであって、
メランジ糸で編成された編地のカラー画像から、カラー空間での複数の単位色のカラー値とその出現頻度とからなる、ヒストグラムを作成するためのヒストグラム作成命令と、
作成したヒストグラム中の複数の単位色から、明度が中程度で高彩度かつ色相が異なるものをスパイスカラーとして抽出し、かつ他の単位色を通常色と区分するためのスパイスカラー抽出命令と、
通常色を併合して通常色の色数を減らし、スパイスカラーのカラー値とその出現頻度及び通常色のカラー値とその出現頻度とを、メランジ糸のカラースペクトルとして求めるための併合命令と、
メランジ糸のカラースペクトルでのスパイスカラーと通常色のカラー値がそれらの出現頻度に応じて表れ、かつ各カラー値が繊維状に細長く配置されるように、メランジ糸の糸画像を作成するための糸画像作成命令、
とを設けたメランジ糸の画像シミュレーションプログラム。
【請求項９】
前記カラー空間は複数のグループに分割され、
前記ヒストグラム作成命令では、前記カラー画像の各画素をいずれかのグループに区分し、各グループに属する画素のカラー値の平均値を前記単位色とし、かつ各グループに属する画素の数に基づいて単位色の出現頻度を定め、
前記併合命令では、出現頻度の少ない通常色をカラー空間での近傍の他の通常色もしくはスパイスカラーと併合し、かつ通常色を、色差が小さくカラー値が類似する他の通常色もしくは色差が小さくカラー値が類似するスパイスカラーと併合することを特徴とする、請求項８のメランジ糸の画像シミュレーションプログラム。
【発明の詳細な説明】
【技術分野】
【０００１】
この発明は、メランジ糸を用いた編地から、用いられているメランジ糸の糸画像をシミュレーションすることに関する。
【背景技術】
【０００２】
メランジ糸は、カラーの異なる複数種の繊維を混ぜ合わせた糸である。繊維のカラーの組み合わせを適切に選ぶと、独特の印象を持った糸を得ることができる。そしてメランジ糸を構成する個々の繊維のカラーと割合はレシピと呼ばれる。
アパレル業界では、メランジ糸を用いた小さな編地のサンプルをもって商品企画やメランジ糸の発注が行われる。しかしながら編地サンプルでは、メランジ糸を用いたガーメントなどのアパレル製品のシミュレーションはできない。そのためメランジ糸のサンプル編地と、実際の製品との間にギャップがある。
アパレル製品のシミュレーションにはメランジ糸の糸画像が必要で、サンプル編地から糸画像を作成することは容易ではない。例えばサンプル編地から、メランジ糸のレシピや糸のカラースペクトルを経験的に求めることは困難である。サンプル編地を解いて編糸の画像を読み込むことが考えられるが、これは手間であるし、サンプル編地が分解されてしまう。
【発明の開示】
【発明が解決しようとする課題】
【０００３】
この発明の課題は、メランジ糸を用いた編地を解かずに、かつメランジ糸の色彩の特徴を保つように、その糸画像を得ることにある。
この発明の副次的課題は、メランジ糸のカラースペクトルを構成する単位色の数を合理的な数に制限することにある。
この発明の他の副次的課題は、単位色の併合の過程でメランジ糸の色彩の特徴が保たれるようにすることにある。
【課題を解決するための手段】
【０００４】
この発明のメランジ糸の画像シミュレーション装置は、メランジ糸で編成された編地から、メランジ糸をシミュレーションするカラー画像を作成するための装置であって、前記編地のカラー画像を読み取るための手段と、前記カラー画像から、カラー空間での複数の単位色のカラー値とその出現頻度とからなる、ヒストグラムを作成するためのヒストグラム作成手段と、作成したヒストグラム中の複数の単位色から、明度が中程度で高彩度かつ色相が異なるものをスパイスカラーとして抽出し、かつ他の単位色を通常色と区分するためのスパイスカラー抽出手段と、通常色を併合して通常色の色数を減らし、スパイスカラーのカラー値とその出現頻度及び通常色のカラー値とその出現頻度とを、メランジ糸のカラースペクトルとして求めるための併合手段と、メランジ糸のカラースペクトルでのスパイスカラーと通常色のカラー値がそれらの出現頻度に応じて表れ、かつ各カラー値が繊維状に細長く配置されるように、メランジ糸の糸画像を作成するための糸画像作成手段とを設けたものである。
好ましくは、前記カラー空間は複数のグループに分割され、前記ヒストグラム作成手段では、前記カラー画像の各画素をいずれかのグループに区分し、各グループに属する画素のカラー値の平均値を前記単位色とし、かつ各グループに属する画素の数に基づいて単位色の出現頻度を定める。
より好ましくは、前記併合手段では、出現頻度の少ない通常色をカラー空間での近傍の他の通常色もしくはスパイスカラーと併合し、かつ通常色を、色差が小さくカラー値が類似する他の通常色もしくは色差が小さくカラー値が類似するスパイスカラーと併合する。
特に好ましくは、前記併合手段では、色差が小さくカラー値が類似した２つのスパイスカラーを、ヒストグラムの平均のカラー値から遠い側のスパイスカラーのカラー値を優先するように処理して、スパイスカラーの数を減らす。
また好ましくは、併合手段で求めたメランジ糸のカラースペクトルの平均のカラー値が、前記カラー画像の平均のカラー値からシフトしたシフト分を求めて、スパイスカラーと通常色とのカラー値を前記シフト分だけシフトさせて、メランジ糸のカラースペクトルの平均のカラー値を、前記カラー画像の平均のカラー値に一致させるための補正手段をさらに設ける。
この発明のメランジ糸の画像シミュレーション方法では、メランジ糸で編成された編地のカラー画像を取得し、前記カラー画像から、カラー空間での複数の単位色のカラー値とその出現頻度とからなる、ヒストグラムを作成し、作成したヒストグラム中の複数の単位色から、明度が中程度で高彩度かつ色相が異なるものをスパイスカラーとして抽出し、かつ他の単位色を通常色と区分し、通常色を併合して通常色の色数を減らし、スパイスカラーのカラー値とその出現頻度及び通常色のカラー値とその出現頻度とを、メランジ糸のカラースペクトルとして求め、メランジ糸のカラースペクトルでのスパイスカラーと通常色のカラー値がそれらの出現頻度に応じて表れ、かつ各カラー値が繊維状に細長く配置されるように、メランジ糸の糸画像を作成する。
好ましくは、前記カラー空間を複数のグループに分割され、前記ヒストグラムを作成する際に、前記カラー画像の各画素をいずれかのグループに区分し、各グループに属する画素のカラー値の平均値を前記単位色とし、かつ各グループに属する画素の数に基づいて単位色の出現頻度を定め、前記通常色の併合では、出現頻度の少ない通常色をカラー空間での近傍の他の通常色もしくはスパイスカラーと併合し、かつ通常色を、色差が小さくカラー値が類似する他の通常色もしくは色差が小さくカラー値が類似するスパイスカラーと併合する。
この発明のメランジ糸の画像シミュレーションプログラムでは、メランジ糸で編成された編地から、メランジ糸をシミュレーションするカラー画像を作成するための装置のプログラムであって、メランジ糸で編成された編地のカラー画像から、カラー空間での複数の単位色のカラー値とその出現頻度とからなる、ヒストグラムを作成するためのヒストグラム作成命令と、作成したヒストグラム中の複数の単位色から、明度が中程度で高彩度かつ色相が異なるものをスパイスカラーとして抽出し、かつ他の単位色を通常色と区分するためのスパイスカラー抽出命令と、通常色を併合して通常色の色数を減らし、スパイスカラーのカラー値とその出現頻度及び通常色のカラー値とその出現頻度とを、メランジ糸のカラースペクトルとして求めるための併合命令と、メランジ糸のカラースペクトルでのスパイスカラーと通常色のカラー値がそれらの出現頻度に応じて表れ、かつ各カラー値が繊維状に細長く配置されるように、メランジ糸の糸画像を作成するための糸画像作成命令、とを設ける。
好ましくは、前記カラー空間は複数のグループに分割され、前記ヒストグラム作成命令では、前記カラー画像の各画素をいずれかのグループに区分し、各グループに属する画素のカラー値の平均値を前記単位色とし、かつ各グループに属する画素の数に基づいて単位色の出現頻度を定め、前記併合命令では、出現頻度の少ない通常色をカラー空間での近傍の他の通常色もしくはスパイスカラーと併合し、かつ通常色を、色差が小さくカラー値が類似する他の通常色もしくは色差が小さくカラー値が類似するスパイスカラーと併合する。
【発明の効果】
【０００５】
この発明では、メランジ糸を用いた編地のカラー画像をヒストグラムに分解し、メランジ糸の色彩の特徴となるカラーをスパイスカラーとして抽出する。スパイスカラーは１つのメランジ糸に対し原則として複数有り、かつ必ずしも出現頻度の高い単位色ではない。スパイスカラーはメランジ糸の色彩の特徴を強調するもので、明度が中程度で人の目に止まりやすく、かつ彩度の高い色である。そしてスパイスカラーは互いに色相が異なるようにし、例えば色相を複数のエリアに分割し、各エリア毎にスパイスカラーの候補を探索する。ここで好ましくは、カラー画像中のノイズを抽出しないように、例えば所定値以上の頻度のある単位色をスパイスカラーとする。スパイスカラー以外の単位色を通常色と呼び、多数の通常色があると扱い難いし、出現頻度が低いものは視覚的に余り影響がない。そこで通常色を併合して減らし、残った通常色とスパイスカラーとでメランジ糸のカラースペクトルを構成する。得られたカラースペクトルをメランジ糸の各繊維に割り当てると、メランジ糸の糸画像が得られ、これを用いてセーターなどのアパレル製品のシミュレーションができる。
この結果、メランジ糸のサンプル編地を解かず、またメランジ糸のレシピを経験的に推定せずに、メランジ糸を用いた製品のシミュレーションできる。この間、人手が必要なのは、メランジ糸を用いた編地をカラースキャナなどで入力する程度で、ほぼ自動的に糸画像が得られる。
ここでカラー空間を複数のグループに分割しておき、各グループに属する画像のカラー値の平均値を元にヒストグラムを作成すると、最初から単位色の数を制限できる。またメランジ糸の印象は色相や、明度、彩度の異なる繊維の配合で定まり、互いに近似したカラー値の繊維を同じものと見なしても、メランジ糸の視覚的印象に大差はない。
出現頻度の少ない通常色をカラー値が近似した他の通常色やスパイスカラーと併合し、色差が小さい２種類の単位色を併合すると、単位色の数を減らすことができる。この場合、通常色とスパイスカラーとを併合する際には、スパイスカラーのカラー値を優先し、即ち単純平均よりも元のスパイスカラーのカラー値に近いカラーとなるように併合する。このようにしてメランジ糸の色彩の特徴を保ちながら、単位色の数を減らす。
スパイスカラーの数が多い場合、これらの色差が小さいことを条件に、即ち類似したカラー値で２つのスパイスカラーを残す必要がないことを条件に、２つのスパイスカラーを併合、あるいは一方を通常色に変更しても良い。この場合、ヒストグラムの平均のカラー値から遠い側のスパイスカラーのカラー値を優先する。これは、スパイスカラーがメランジ糸の平均色から外れていることによって目立ち、かつ中程度の明るさで彩度の高い糸であることによって人の目への刺激が強い色だからである。平均のカラー値に近い側のスパイスカラーは例えば通常色に変更する。また例えば、平均のカラー値に近い側のスパイスカラーに属する画素のカラー値を、平均のカラー値から遠い側のスパイスカラーのカラー値で置き換えても良い。
単位色の併合を繰り返す過程で、カラースペクトルの平均カラーがサンプル編地の平均カラーからシフトすることがある。そこでこのシフト分を求めて補正すると、カラースペクトルの平均カラーがサンプル編地の平均カラーからシフトすることを防止できる。
なお編地からのカラー画像の読み取りは、例えばカラースキャナやデジタルカメラで行えば良く、用いるカラー値はＨＬＳ（色相Ｈ，明度Ｌ，彩度Ｓ）やＲＧＢ（赤Ｒ，緑Ｇ，青Ｂ）、ＬＡＢ、ＬＵＢなどの適宜のものを用いると良い。明度と彩度を例えば０〜２５５の８ビットで表現すると、明度が中程度とは例えば６４〜１９２，好ましくは９６〜１６０で、彩度が高いとは例えば１２８以上で好ましくは１９２以上であるなどと定義しても良い。しかしながらある色相に対して、単位色の明度の最大値が例えば６２、彩度の最大値が８２の場合、これがこの色相で中程度の明度と最大の彩度である。即ち同じ色相の複数の単位色の中で、中程度の明度と高い彩度の単位色をスパイスカラーとして選択することが好ましい。
【図面の簡単な説明】
【０００６】
図１は実施例のメランジ糸の画像シミュレーション装置のブロック図である。
図２は実施例での、メランジ糸のカラースペクトルの算出アルゴリズムを示すフローチャートである。
図３は実施例での、糸画像の作成アルゴリズムを示すフローチャートである。
図４は実施例で、メランジ編地をカラースキャナで読み込んだ画像を示す図面代用写真である。
図５は実施例で作成したメランジ糸の糸画像を示す図である。
図６は図５の糸画像を用いてシミュレーションした編地画像を示す図である。
図７は実施例で、読み込んだ編地の色相のヒストグラムを示す図である。
図８は図７の色相ヒストグラムから抽出した、５０種の単位色のＲＧＢ値（上段）とＨＬＳ値（下段）とを示す図である。
図９は図８の単位色から抽出した、スパイスカラー（枠で囲ったもの）とスパイスカラー以外の通常色とを示す図である。
図１０は図９の通常色で頻度の少ないものを、近傍の通常色やスパイスカラーと併合した後の、５種のスパイスカラーと８種の通常色とを示す図である。
図１１は色差が小さい通常色やスパイスカラーを併合した後の、５種のスパイスカラーと６種の通常色とを示す図である。
図１２は図１１のスパイスカラーと通常色の平均色を、スキャンした編地の平均色へ移すように補正した後の、スパイスカラーと通常色とを示す図である。
【符号の説明】
【０００７】
２  画像シミュレーション装置    ４  バス    ６  カラースキャナ
８  ヒストグラム作成部    １０  スパイスカラー抽出部
１２  併合部    １４  色シフト補正部    １６  カラースペクトル記憶部
１８  サンプリング部    ２０  ユーザ入力    ２２  処理プログラム
２４  糸形状記億部    ２６  糸形状サンプリング部
２８  糸画像作成部    ３０  シミュレーション部
３２  カラーモニタ    ３４  カラープリンタ
３６  ＬＡＮインターフェース    ３８  ディスクドライブ
【発明を実施するための最良の形態】
【０００８】
以下に本発明を実施するための最適実施例を示す。
【実施例】
【０００９】
図１〜図１２に実施例を示す。図において、２は画像シミュレーション装置で、４はバスで、６はカラースキャナで、デジタルカメラなどに代えても良く、メランジ糸で編成されたサンプル編地のカラー画像を読み取る。８はヒストグラム作成部で、読み取ったカラー画像のカラー値の分布のヒストグラムを作成する。例えば用いるカラー空間がＨＬＳから成るものとし、色相Ｈでカラー空間を１２等分し、明度Ｌでカラー空間を８等分し、彩度Ｓでカラー空間を８等分すると、カラー空間は全体で７６８のグループに分割される。そして読み取ったカラー画像からサンプリング部１８でカラー画像中の不要な部分を除去した後、カラー画像の各画素を７６８のグループに分類し、ヒストグラムを作成する。用いるカラー空間の種類は任意で、カラー空間を分割するグループの数や、グループへの分割の要否も任意である。そして１つのグループ内の各色は互いに類似した色と見なし、グループ内の各色の平均のカラー値をグループのカラー値とする。ここで空でないグループを単位色と呼び、グループの大部分は空である。
スパイスカラー抽出部１０は、最大７６８の単位色から最大１２のスパイスカラーを抽出する。スパイスカラーは色相毎に定め、例えば色相を１２分類しているので、各色相に対して１個以下のスパイスカラーを抽出する。抽出するスパイスカラーは、１つの色相に対する最大６４の単位色の中で、明度が中程度で彩度が高いものである。明度や彩度の最大値を例えば共に２５５とすると、｛（１２８−Ｌ）２＋（２５５−Ｓ）２｝１／２の値が最小となるものを、明度が中程度で彩度が最も高いものとする。このような基準に代えて、明度と彩度との組合せからなる６４区分に対して、スパイスカラーとして抽出する順序を記載した表を用意し、表の順序に従ってスパイスカラーを抽出しても良い。なお出現頻度が所定値以下のごく小さなグループ、例えば出現頻度が全体の０．０４％以下のグループはスパイスカラーを抽出しない。ヒストグラム作成部８で求めた複数の単位色のうちで、スパイスカラー以外のものを通常色と呼ぶ。この段階で得られたデータは、スパイスカラーに対してそのカラー値と出現頻度、通常色に対してそのカラー値と出現頻度であり、スパイスカラーや通常色は原則としてそれぞれ複数存在する。
併合部１２では、類似した通常色や類似したスパイスカラーを互いにあるいはスパイスカラーを通常色へ変更して、カラースペクトルを簡単にする。なおスパイスカラーの数を減らさず通常色のみを減らすように併合しても良い。併合部１２では全体に対する出現頻度が例えば１％以下の通常色を、カラー空間で最も近傍の、即ち色差が最も小さい他の通常色もしくはスパイスカラーに併合する。ここに色差はカラー空間での距離を言い、例えばＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）により（ＣＩＥ  １９６０  ＵＳＣ  ｄｉａｇｒａｍ）定義されている。出現頻度が１％以下の通常色を併合する際に、併合先がスパイスカラーであれば、スパイスカラーのカラー値を変えず、その出現頻度を増加させる。２つの通常色を併合する場合、新たなカラー値はそれらの重み付き平均とし、重みとは出現頻度である。併合部１２ではさらに色差が小さい２つの単位色を併合する。また２つの類似したスパイスカラーの一方をスパイスカラーを解除して通常色に変更し、ヒストグラムの平均のカラー値に近い側のスパイスカラーを通常色に変更する。色差の小さい２つのスパイスカラーは併合して１色にしても良く、この場合ヒストグラムの平均のカラー値から遠い方のカラー値を持つ側のスパイスカラーに、ヒストグラムの平均のカラー値に近い側のスパイスカラーを併合する。このようにしてヒストグラムの平均から外れた側のスパイスカラーを優先して、スパイスカラーの数を削減する。
通常色とスパイスカラーとを併合する場合、例えば通常色のカラー値を無視して、その出現頻度をスパイスカラーの出現頻度に加え、スパイスカラーのカラー値を保存する。さらに２つの通常色を併合する場合、新たなカラー値はその重み付き平均などとする。これらの処理によって単位色の数を例えば最初の５０〜１００以上から、１０程度まで減少させる。スパイスカラーは、メランジ糸の中で中程度の明度を持ち、彩度が高いため目立つ部分で、出現頻度が低いにせよ視覚的に重要な部分である。メランジ糸の画像はスパイスカラーのみではけばけばしい色調になりやすいが、ヒストグラムの大部分を占める通常色により落ち着いた色調に変化する。このためスパイスカラーと通常色は別々のものとして抽出し、スパイスカラーはその出現頻度が低くても保存し、かつ抽出したスパイスカラーのカラー値を併合の過程で変えないようにする。スパイスカラーの数を減らす場合、ヒストグラムの平均のカラー値から離れた方の、言い換えるとより目立つ方のスパイスカラーを優先する。そして単位色の数を減らすことにより、糸画像の作成を容易にする。
単位色の併合を繰り返す過程で、当初のヒストグラムでの平均のカラー値から、併合後のヒストグラムでの平均のカラー値が僅かにシフトする。そこで色シフト補正部１４は、単位色の併合の過程でのヒストグラムの平均のカラー値のシフトを求め、シフト分のカラー値を例えば符号を逆にして各単位色に加えることにより、ヒストグラムの平均のカラー値を最初の平均のカラー値に一致させる。なお色シフト補正部１４は設けなくても良い。以上の手続により、メランジ糸のシミュレーション画像の要素となる単位色のカラー値とその頻度とが求まる。これはメランジ糸のカラースペクトルということができ、これをカラースペクトル記憶部１６で記憶する。
サンプリング部１８は、ヒストグラム作成前の前処理を行い、カラースキャナ６で読み込んだカラー画像に対して、ヒストグラムを抽出する範囲を指定する。例えば編地の縁の部分を除き、サンプリング範囲内の画素のカラー値でも、明度が極端に大きいものや小さいものを除外する。これは編地の影となって異常に暗くなっている部分や、編地の隙間で透けて見える部分、その他のハイライトなどのノイズを除くためである。
ユーザ入力２０はマウスやキーボードなどから成る。処理プログラム２２はカラースキャナ６で読み取った画像に対して、ヒストグラム作成前のサンプリング、ヒストグラムの作成，スパイスカラーの抽出，併合，色シフトの補正，及びカラースペクトルの記憶のための処理プログラムを記憶する。
糸形状記億部２４は、モデルとなるメランジ糸の糸形状を記憶し、糸形状は例えば本体部と毛羽部とから成り、繊維を所定のピッチで撚ったものである。糸形状サンプリング部２６は、メランジ糸の画像をカラースキャナ６などで読み込むことができる場合に、その画像から糸形状のモデルを抽出する。例えば糸の素材が同じで単色のメランジ糸の見本がある場合に、糸形状サンプリング部２６を用いる。なお繊維の太さや長さ、その分布、撚りのピッチなどは、オペレータが入力可能である。
糸画像作成部２８は、カラースペクトル記憶部１６に記憶したカラースペクトルと、糸形状記憶部２４もしくは糸形状サンプリング部２６の糸形状のモデルとから、メランジ糸のカラー画像を作成する。例えば糸本体や毛羽の繊維に対し、カラースペクトルでの頻度に応じて単位色を割り当てり、好ましくは所定のピッチで繊維の方向を傾け、擬似的に糸を撚る。このようにするとメランジ糸の糸画像をカラーで作成できる。得られた糸画像は、セーターやワンピース，スラックス，手袋，帽子，水着などのガーメント、あるいはテーブルクロスやシートなどのアパレル製品、あるいは柄を施した編地のシミュレーションに用いる。即ちこれらのガーメントやアパレル製品の編成データが存在する場合、編成データに従ってシミュレーションした画像の個々の糸に、糸画像作成部２８で作成したメランジ糸のカラー画像を割り付ける。これによってメランジ糸のサンプル編地から、このメランジ糸を用いた製品のシミュレーションが行える。
３２はカラーモニタで、シミュレーション画像の表示や、カラースキャナ６で読み込んだ画像に対してサンプリング範囲を指定するために用い、３４はカラープリンタで、メランジ糸の糸画像やシミュレーション画像のハードコピーを出力する。３６はＬＡＮインターフェースで、画像シミュレーション装置２を図示しないＬＡＮに接続し、ディスクドライブ３８はシミュレーションデータや処理プログラムなどの入出力に用いる。
図２〜図１２に実施例の動作を示す。カラースペクトルの作成では、例えば図４に示すようなメランジ糸のサンプル編地の画像をカラースキャナで読み込み、ユーザ入力２０とカラーモニタ３２などを用いてサンプリング範囲を決定し、この時、明度が所定値以上に高い領域や、明度が他の所定値以下の領域をサンプリングしたデータから除去する。次いでヒストグラム作成部により、ＲＧＢもしくはＨＬＳあるいはＬＡＢやＬＵＢなどの適宜のカラー空間においてヒストグラムを作成し、これを所定のグループに分類する。グループの分類では色相が最も重要なので、色相の区分を明度の区分や彩度の区分よりも多くすることが好ましい。そして各グループ内での平均色を求め、以下の処理はグループの平均色に対して行う。例えば１２等分した色相毎にスパイスカラーを抽出する。ここで全体に対する出現頻度が０．０４％以下のグループからはスパイスカラーを抽出しないので、スパイスカラーが存在しない色相もある。
図７はサンプリング範囲内のヒストグラムを色相について示す。図８はこれを最大７６８のグループに分割した際のヒストグラムを色相について示し、グループ毎の平均色を用いるので、ヒストグラムが離散的に見える。図８の中段上部にはヒストグラムの平均色のＲＧＢ値とＨＬＳ値が記載してある。図８の下段には、単位色の色数が５０であることが記載され、７６８区分の内で実際にデータのあるグループは５０個である。図９ではスパイスカラーを抽出済で、スパイスカラーは太い枠で囲まれ、図９からは読み取りにくいものの、５０の単位色中５つのスパイスカラーと４５の通常色とがある。
類似のスパイスカラーが存在する場合、即ち色差が所定値未満の２つのスパイスカラーがある場合、ヒストグラムの平均のカラー値から近い側のスパイスカラーを通常色に変更する。あるいはまたこれらのスパイスカラーを併合しても良い。この場合、併合後のスパイスカラーのカラー値はヒストグラムの平均のカラー値から遠い方のスパイスカラーのカラー値とし、出現頻度は併合した２つのスパイスカラーの出現頻度の和とする。同様に色差が小さな２つの通常色、あるいは通常色とスパイスカラーとを併合し、また出現頻度が例えば１％以下の通常色をカラー空間での近傍の他の通常色やスパイスカラーと併合する。通常色間の併合では、新たなカラー値は例えば出現頻度を重みとする重み付き平均で定め、スパイスカラーと通常色との併合では、スパイスカラーのカラー値を保つ。
図１０では、出現頻度が１％未満の通常色を併合し、これによって単位色の数は１３まで減少する。図１１では色差が小さい類似の単位色を併合し、これによって６つの通常色と５つのスパイスカラーとが残存している。各図の下部には、処理後のヒストグラムでの平均のカラー値をＲＧＢ系で示しており、例えば図１０では図の上部の処理前のヒストグラムの平均のカラー値での赤の値８９が、処理後のヒストグラムで９０に変化している。これは単位色の併合の過程でのシフトである。図１１の処理に続いて、最初のヒストグラムでの平均のカラー値と一致するようにカラー値を補正する。補正後のカラー値を図１２に示す。なお実施例ではＲＧＢやＨＬＳのそれぞれの成分に対し、小数点以下４ビット程度の値を加えている。また図１１の段階で、平均のカラー値は最初のヒストグラムでの平均カラー値と整数部分が一致しているので、図１２ではシフト補正の影響が表れていない。
このようにしてカラースペクトルが求まると、図３の手続により糸画像を作成する。得られたメランジの糸画像を図５に示す。サンプル編地と同じ形状のメランジ糸が存在する場合、その糸をスキャンし、糸本体と毛羽とからなる糸形状をサンプリングする。サンプリングに用いる糸は単色のものが好ましく、多色の場合、繊維毎の色彩の差により糸形状のサンプリングが難しくなる。次に糸を構成する繊維の長さや太さ、あるいはそれらの分布と、糸の撚りのピッチをオペレータが入力する。メランジ糸が存在しない場合、記憶済みの糸形状を選択し、この時、繊維の長さや太さ、撚りのピッチも糸形状データの一部として記憶済みである。
メランジ糸のカラースペクトルをヒストグラムでの出現頻度に応じて、ランダムに選び繊維状に細長く配置する。そして撚りのピッチに応じて繊維の方向を傾け、上側にはみ出した糸は下側に回り込むようにする。次にカラースペクトル（カラー値）を配置した画像を糸形状と合体し、ここでは糸形状の画像をマスクとして、カラー値を配置した画像と重ねて重なる部分を有効とする。図５の糸画像を用いてシミュレーションした編地の画像を図６に示す。リアルな編地が得られ、かつメランジ糸を用いているため、各編目の色は同一ではない。糸の撚りの影響は図６では見え難く、糸を撚るように繊維の方向を傾ける処理は省略しても良い。
実施例では以下の効果が得られる。
（１）  サンプル編地を解かずに、また経験的にメランジ糸のレシピを求めずに、メランジ糸の糸画像を作成できる。
（２）  メランジ糸の色彩に少量でも強く影響し目立つスパイスカラーと、メランジ糸に落ち着いた色調を与える通常色とを分離して別々に取り扱う。
（３）  単位色を併合することにより、糸画像の作成が容易にできる程度の数にできる。
（４）  単位色の併合過程で生じたカラー値のシフトを補正できる。
（５）  サンプル編地の縁の部分や、サンプル編地の内部でも極端に明度が高い不自然な部分が、糸画像に反映しない。
【図１】
2007052783.tif 000003
【図２】
2007052783.tif 000004
【図３】
2007052783.tif 000005
【図４】
2007052783.tif 000006
【図５】
2007052783.tif 000007
【図６】
2007052783.tif 000008
【図７】
2007052783.tif 000009
【図８】
2007052783.tif 000010
【図９】
2007052783.tif 000011
【図１０】
2007052783.tif 000012
【図１１】
2007052783.tif 000013
【図１２】
2007052783.tif 000014
【国際調査報告】
2007052783.tif 000015
2007052783.tif 000016
2007052783.tif 000017
2007052783.tif 000018